(57)【要約】【課題】  ディスクの記録済領域のゲイン調整を適正に行い得るディスク再生装置及びディスク再生方法を提供する。【解決手段】  ディスク再生装置１は、ディスク上の再生された領域が、記録済領域であるか未記録領域であるかを判定する再生領域判定部６と、ＡＧＣ部１０でのゲイン調整に用いられるゲイン情報を供給するＤＡコンバータ２１とを有する。ＡＧＣ部１０とＤＡコンバータ２１との間には、両者間の電気的な接続を制御するスイッチ７が設けられている。【選択図】  図１
2005339726.tif 000002
【特許請求の範囲】
【請求項１】
ディスクの戻り光から抽出された再生信号の振幅の大きさを調整するために、信号振幅制御部にてゲイン調整を行うディスク再生装置において、
上記再生信号に基づいて、上記ディスク上の再生された領域が、記録済領域であるか未記録領域であるかを判定する再生領域判定部と、
上記信号振幅制御部でのゲイン調整に用いられるゲイン情報を供給するゲイン情報供給部と、
上記信号振幅制御部及びゲイン情報供給部間の電気的な接続と切断とを切り換える切換部と、を備え、
上記切換部は、上記再生領域判定部での判定結果に基づいて、記録済領域が再生されていると判定された場合には、上記信号振幅制御部とゲイン情報供給部とを切断し、未記録領域が再生されていると判定された場合には、上記信号振幅制御部とゲイン情報供給部とを接続することを特徴とするディスク再生装置。
【請求項２】
上記ゲイン情報供給部は、上記信号振幅制御部でのゲイン調整をあらかじめ定められた一定のゲインで行うためのゲイン情報を供給することを特徴とする請求項１に記載のディスク再生装置。
【請求項３】
上記ゲイン情報供給部は、上記信号振幅制御部にて、再生信号の再生に必要な大きさの振幅が得られるようにゲイン調整を行うためのゲイン情報を供給することを特徴とする請求項１又は２に記載のディスク再生装置。
【請求項４】
上記ディスクの記録済領域が再生されている場合に、上記信号振幅制御部で設定されているゲインを取得するゲイン取得部を備え、
上記ゲイン取得部で取得したゲインを、上記ゲイン情報として用いることを特徴とする請求項１、２又は３に記載のディスク再生装置。
【請求項５】
上記ゲイン情報は、所定の反射率を有する基準ディスクの記録済領域が再生されている場合に、上記ゲイン取得部で取得したゲインである基準ゲインと、
当該ディスク再生装置に装着されたディスクの記録済領域が再生されている場合に、上記ゲイン取得部で取得したゲインであるディスクゲインと、のうちの少なくとも一方を含むことを特徴とする請求項４に記載のディスク再生装置。
【請求項６】
上記ゲイン情報として、基準ゲインとディスクゲインとを切り換える制御部を備えていることを特徴とする請求項５に記載のディスク再生装置。
【請求項７】
ディスクの戻り光から抽出された再生信号の振幅の大きさを調整するためのゲイン調整を行うディスク再生方法において、
上記再生信号に基づいて、上記ディスク上の再生された領域が、記録済領域であるか未記録領域であるかを判定し、
上記ディスクの記録済領域が再生されていると判定された場合には、再生信号の振幅が一定となるようにゲイン調整を行い、上記ディスクの未記録領域が再生されていると判定された場合には、あらかじめ設定された一定のゲインでゲイン調整を行うことを特徴とするディスク再生方法。
【請求項８】
上記ディスクの未記録領域を、上記ディスクの記録領域が再生されている場合のゲインと同じ値のゲインで再生することを特徴とする請求項７に記載のディスク再生方法。
【発明の詳細な説明】
【技術分野】
【０００１】
本発明は、ＡＧＣ（Automatic Gain Control）を行って、光ディスクを再生するディスク再生装置及びディスク再生方法に関するものである。
【背景技術】
【０００２】
一般に、光ディスク上のアドレス領域、記録再生領域の記録部分や未記録部分等の各エリアから得られる信号のレベルは、それぞれ異なっている。そのため、光ディスクに記録されている情報を再生する場合には、光ディスクの戻り光から抽出されるＲＦ信号のゲイン調整（ＡＧＣ）を行い、光ディスクから抽出されるＲＦ信号の振幅が常に一定になるように制御されている。つまり、上記ゲイン調整を行うことにより、光ディスクの再生に際して、該光ディスク上の異なるエリアから得られるＲＦ信号が、常に所定のレベルの振幅を保つようになっている。
【０００３】
上記ゲイン調整の一例として、信号の再生に際して各種処理を施す信号処理部にて必要とされる入力レンジの範囲内のＲＦ信号が得られるように、光ディスクからの信号を、あらかじめ設定された基準値と比較する手法が知られている。このようなゲイン調整を行うディスク再生装置のブロック図を図７に示す。
【０００４】
図７に示すディスク再生装置では、まず、光ディスク５４からの反射光をピックアップ５３によって検出して、信号再生用のＲＦ信号を抽出する。該ＲＦ信号は、光ディスク５４の記録再生領域の記録部分から得られる。抽出されたＲＦ信号は、ＡＧＣ部５０内のＶＧＡ（Variable Gain Amplifier）５１に入力され、ＲＦ信号振幅検出部５２に入力される。該ＲＦ信号振幅検出部５２では、あらかじめ設定されたＲＦ信号の振幅の基準値と、入力されたＲＦ信号の振幅の値とを比較する。そして、入力されたＲＦ信号が、基準値より低い振幅を有していれば、ゲインを上げるように、ＶＧＡ５１に供給される電圧の制御を行い、基準値より高い振幅を有していれば、ゲインを下げるように電圧制御を行う。これにより、ＡＧＣ部５０から出力されるＲＦ信号は、常に一定の振幅で、信号処理部５５に供給されるようになっている。
【０００５】
一方、上記記録再生領域の未記録部分等のように、再生される情報が記録されていない光ディスク５４上のエリアからはＲＦ信号は得られない。それゆえ、上記のように、基準値との比較によってゲイン調整を行うと、ＶＧＡ５１ではゲインが最大となるように制御されることになる。
【０００６】
ところで、ディスク再生装置では、光ディスク５４表面のキズや汚れ、ブラックドット等による異常ノイズの影響を低減するために、上記ゲイン調整を行うＡＧＣ部５０には、図７に示すように、通常、抵抗Ｒ１１やコンデンサＣ１１を時定数として与えて、応答を遅らせるようになっている。そのため、記録再生領域の未記録部分から記録部分へ移行した直後には、上記ＡＧＣ部５０の応答の遅れにより、ＶＧＡ５１は、未記録部分を制御しているときに設定される最大のゲインで、記録部分から得られるＲＦ信号の振幅を調整することになる。
【０００７】
一般に、ＶＧＡ５１で制御されるゲインの可変範囲は、光ディスク５４の各エリアから抽出されるＲＦ信号について想定されるバラツキの範囲以上となるように、該バラツキの範囲に対してある程度の余裕を与えて設定される。そのため、ＶＧＡ５１にて、最大のゲインで制御が行われると、ＶＧＡ５１から出力されるＲＦ信号は、過大出力となってしまう。従って、上記のように、未記録部分から記録部分へ移行した直後に、ＶＧＡ５１に入力されるＲＦ信号は、ＶＧＡ５１が有する最大のゲインに調整されることになる。それゆえ、記録部分から抽出されるＲＦ信号が過大出力となって、適正な振幅のＲＦ信号を信号処理部５５に出力することが困難となる。
【０００８】
そこで、上記記録再生領域の未記録部分から記録部分に移行した直後にも、該記録部分のゲインの制御を短時間で適切に行うことができるＡＧＣ回路が提案されている（例えば、特許文献１等）。上記特許文献１に記載の技術では、アドレス領域からの信号と記録再生領域からの信号とで、ＡＧＣ回路を切り換える切り換え手段を組み込んでいる。これにより、記録再生領域の未記録部分では、アドレス領域からのＲＦ信号を利用してゲイン調整を行い、記録部分では、記録再生領域からのＲＦ信号を利用してゲイン調整を行うことができる。従って、光ディスクの再生に際し、記録再生領域の未記録部分から記録部分に移行した場合等のように、記録再生領域からのＲＦ信号の有無の変化に素早く追従して、ゲイン調整を行うことができるようになっている。
【特許文献１】特開平６−１１１３３５号公報（１９９４年４月２２日公開）
【発明の開示】
【発明が解決しようとする課題】
【０００９】
しかしながら、上記特許文献１に記載のＡＧＣ回路では、ピックアップで抽出されたＲＦ信号から、アドレス領域からのＲＦ信号と、記録再生領域からのＲＦ信号とを、分離して取り出す必要があるため、回路構成が複雑となるという問題がある。すなわち、アドレス領域のＲＦ信号を抽出するためには、該ＲＦ信号を抽出するタイミングを決定する必要がある。そのため、上記ＡＧＣ回路内に、このタイミングを決定するためのサンプリング信号を発生するタイミング発生器を設けなければならず、ゲイン調整を行うための回路構成が複雑となってしまう。
【００１０】
また、上記特許文献１に記載のＡＧＣ回路では、光ディスクのトラックをトレースしたときに得られるＲＦ信号に基づいて、ゲイン調整を行っている。そのため、ＲＦ信号が検出されないトラックサーチ時には、ゲイン調整を行うことができないという問題もある。
【００１１】
本発明は、上記従来の問題点を解決するためになされたものであって、その目的は、簡単な回路構成で、ディスクの記録済領域のゲイン調整を適正に行い得るディスク再生装置及びディスク再生方法を提供することにある。
【課題を解決するための手段】
【００１２】
本発明に係るディスク再生装置は、上記課題を解決するために、ディスクの戻り光から抽出された再生信号の振幅の大きさを調整するために、信号振幅制御部にてゲイン調整を行うディスク再生装置において、上記再生信号に基づいて、上記ディスク上の再生された領域が、記録済領域であるか未記録領域であるかを判定する再生領域判定部と、上記信号振幅制御部でのゲイン調整に用いられるゲイン情報を供給するゲイン情報供給部と、上記信号振幅制御部及びゲイン情報供給部間の電気的な接続と切断とを切り換える切換部と、を備え、上記切換部は、上記再生領域判定部での判定結果に基づいて、記録済領域が再生されていると判定された場合には、上記信号振幅制御部とゲイン情報供給部とを切断し、未記録領域が再生されていると判定された場合には、上記信号振幅制御部とゲイン情報供給部とを接続することを特徴としている。
【００１３】
上記の構成によれば、信号振幅制御部とゲイン情報供給部との接続及び切断を切り換える切換部を備えている。そのため、ディスク上の記録済領域が再生されている場合には、信号振幅制御部とゲイン情報供給部とを切断して、信号振幅制御部内で、出力される再生信号が所定の振幅となるように、ゲイン調整が行われる。一方、ディスク上の未記録領域が再生されている場合には、信号振幅制御部とゲイン情報供給部とを接続して、ゲイン情報供給部から供給されるゲイン情報に基づいて、ゲイン調整が行われる。
【００１４】
従って、ディスク上の未記録領域が再生されている場合に、信号振幅制御部内で設定されるゲインでゲイン調整を行わずに、ゲイン情報に基づいてゲイン調整を行うことができる。これにより、未記録領域の再生時に、信号振幅制御部で設定可能な最大のゲインで、ゲイン調整が行われることを防止することができる。それゆえ、未記録領域から記録済領域へ移行した直後に、再生信号が最大のゲインで調整され、過大出力されることを防止することができるという効果を奏する。
【００１５】
また、本発明に係るディスク再生装置は、上記のディスク再生装置において、上記ゲイン情報供給部は、上記信号振幅制御部でのゲイン調整をあらかじめ定められた一定のゲインで行うためのゲイン情報を供給することが好ましい。ここで、上記一定とは、実質的に一定であることを含む。
【００１６】
具体的には、上記ゲイン情報供給部は、上記信号振幅制御部にて、再生信号の再生に必要な大きさの振幅が得られるようにゲイン調整を行うためのゲイン情報を供給することが好ましい。
【００１７】
上記の各構成によれば、未記録領域の再生時に、信号振幅制御部で設定可能な最大のゲインで、ゲイン調整が行われることを防止することができる。特に、再生信号の再生に必要な大きさの振幅が得られるように、上記ゲイン情報を設定することにより、未記録領域で設定されるゲインと、記録済領域で設定されるゲインとの差を小さくすることができる。これにより、未記録領域から記録済領域へ移行した際に、記録済領域のゲイン調整に用いられるゲイン値に収束する時間を短縮することができるので、記録済領域からの再生信号のゲイン調整を迅速に行うことができる。従って、未記録領域から記録済領域へ移行した直後等に、再生信号の出力に過不足が生じることを防止することができる。
【００１８】
また、本発明に係るディスク再生装置は、上記のディスク再生装置において、上記ディスクの記録済領域が再生されている場合に、上記信号振幅制御部で設定されているゲインを取得するゲイン取得部を備え、上記ゲイン取得部で取得したゲインを、上記ゲイン情報として用いてもよい。
【００１９】
上記の構成によれば、ゲイン取得部を備えているので、ディスク再生装置に装着されているディスクの記録済領域を再生する際に行われるゲイン調整に適したゲインを検出することができる。また、上記ゲイン取得部で取得したゲインを、ゲイン情報として用いているので、各ディスク再生装置、ディスク再生装置に装着される各ディスクに固有の特性に応じて、未記録領域の再生に最適なゲイン調整を行うことができる。
【００２０】
また、本発明に係るディスク再生装置は、上記のディスク再生装置において、上記ゲイン情報は、所定の反射率を有する基準ディスクの記録済領域が再生されている場合に、上記ゲイン取得部で取得したゲインである基準ゲインと、当該ディスク再生装置に装着されたディスクの記録済領域が再生されている場合に、上記ゲイン取得部で取得したゲインであるディスクゲインと、のうちの少なくとも一方を含んでいてもよい。
【００２１】
また、本発明に係るディスク再生装置は、上記のディスク再生装置において、上記ゲイン情報として、基準ゲインとディスクゲインとを切り換える制御部を備えていてもよい。
【００２２】
上記の各構成によれば、ゲイン情報として、ディスク再生装置に固有のピックアップ感度等の特性に応じて設定された基準ゲインと、再生するディスクの種類や記録状態等の各ディスクに固有の特性に応じて設定されたディスクゲインとを含んでいる。従って、使用するディスク再生装置や、使用するディスクの特性に応じた、最適のゲイン調整を行うことができる。
【００２３】
また、本発明に係るディスク再生方法は、上記課題を解決するために、ディスクの戻り光から抽出された再生信号の振幅の大きさを調整するためのゲイン調整を行うディスク再生方法において、上記再生信号に基づいて、上記ディスク上の再生された領域が、記録済領域であるか未記録領域であるかを判定し、上記ディスクの記録済領域が再生されていると判定された場合には、再生信号の振幅が一定となるようにゲイン調整を行い、上記ディスクの未記録領域が再生されていると判定された場合には、あらかじめ設定された一定のゲインでゲイン調整を行うことを特徴としている。
【００２４】
上記の方法によれば、記録済領域が再生されていると判定された場合には、出力される再生信号の振幅が一定になるようにゲイン調整を行っている。また、未記録領域が再生されていると判定された場合には、一定のゲインでゲイン調整を行っている。このように、未記録領域を再生する場合のゲイン調整をあらかじめ定められたゲインで行っているので、未記録領域から記録済領域へ移行した直後等に、再生信号の出力に過不足が生じることを防止することができる。なお、上記一定とは、実質的に一定であることを含むものとする。
【００２５】
また、本発明に係るディスク再生方法は、上記のディスク再生方法において、上記ディスクの未記録領域を、上記ディスクの記録領域が再生されている場合のゲインと同じ値のゲインで再生することが好ましい。
【００２６】
上記の方法によれば、未記録領域から記録済領域へ移行した際に、記録済領域のゲイン調整に用いられるゲイン値に収束する時間を短縮することができる。これにより、記録済領域の再生に際し、迅速に最適なゲイン調整を行うことができる。
【発明の効果】
【００２７】
本発明に係るディスク再生装置は、以上のように、再生信号に基づいて、ディスク上の再生された領域が、記録済領域であるか未記録領域であるかを判定する再生領域判定部と、信号振幅制御部でのゲイン調整に用いられるゲイン情報を供給するゲイン情報供給部と、上記信号振幅制御部及びゲイン情報供給部間の電気的な接続と切断とを切り換える切換部と、を備え、上記切換部は、上記再生領域判定部での判定結果に基づいて、記録済領域が再生されていると判定された場合には、上記信号振幅制御部とゲイン情報供給部とを切断し、未記録領域が再生されていると判定された場合には、上記信号振幅制御部とゲイン情報供給部とを接続するものである。
【００２８】
また、本発明に係るディスク再生方法は、以上のように、再生信号に基づいて、ディスク上の再生された領域が、記録済領域であるか未記録領域であるかを判定し、上記ディスクの記録済領域が再生されていると判定された場合には、再生信号の振幅が一定となるようにゲイン調整を行い、上記ディスクの未記録領域が再生されていると判定された場合には、あらかじめ設定された一定のゲインでゲイン調整を行う方法である。
【００２９】
それゆえ、未記録領域の再生に際しても、あらかじめ定められた所定のゲインでゲイン調整を行うことができるので、未記録領域から記録済領域へ移行した直後に、再生信号の出力に過不足が生じることを防止することができるという効果を奏する。
【発明を実施するための最良の形態】
【００３０】
〔実施の形態１〕
本発明の実施の一形態について図１に基づいて説明すれば、以下の通りである。図１に、本実施の形態のディスク再生装置のブロック図を示す。
【００３１】
上記ディスク再生装置１は、図１に示すように、ピックアップ３と、ＡＧＣ部（信号振幅制御部）１０と、信号処理部５と、再生領域判定部６と、スイッチ（切換部）７と、システムコントローラ２０とを備えている。
【００３２】
上記ピックアップ３は、ディスク再生装置１に装着されたディスク２に光ビームを照射し、ディスク２からの戻り光を検出する。上記ピックアップ３は、図示しないフォーカスサーボ機構によって、ディスク２の信号面と図示しないレンズとの距離を一定に保って、ディスク２の信号面上に焦点が合うように光ビームを照射し、図示しないトラッキングサーボ機構によって、ディスク２上のトラックに光ビームが追従するように制御している。
【００３３】
また、上記ピックアップ３は、検出されたディスク２からの戻り光を電気的に変換してＲＦ信号を生成するＲＦ信号生成部４を備えている。上記ＲＦ信号は、ディスク２に記録された情報に基づいて生成される信号である。そのため、ディスク２上の記録済領域等のように、何らかの情報が記録された領域からの戻り光である場合には、ＲＦ信号が生成されるが、未記録領域等のように、情報が記録されていない領域からの戻り光である場合にはＲＦ信号は生成されない。
【００３４】
上記ＡＧＣ部１０は、再生信号の振幅を安定化させるために設けられ、入力されたＲＦ信号に対するゲイン制御を行う自動利得制御回路である。そのため、詳細は後述するが、再生領域判定部６にて、記録領域から得られたＲＦ信号が検出された場合には、ＡＧＣ部１０にてＲＦ信号のゲイン調整がなされて、後段の信号処理部５に出力されるＲＦ信号の振幅は常に所定のレベルとなる。上記ＡＧＣ部１０は、図１に示すように、ＶＧＡ１１と、ＲＦ信号振幅検出部１２と、比較部１３とを備えている。
【００３５】
上記ＶＧＡ１１は、入力される電圧の大きさによってゲインが変化するようになっている可変利得増幅器であり、入力される電圧の大きさによって、出力するＲＦ信号の振幅の大きさを調整する。従って、上記ＶＧＡ１１の入力側は、ＲＦ信号生成部４に電気的に接続され、出力側は、ＲＦ信号振幅検出部１２及び信号処理部５に電気的に接続されている。また、ＶＧＡ１１の制御端子には、比較部１３、スイッチ７、コンデンサＣ１の一端が電気的にされている。該コンデンサＣ１の他端は、接地されている。
【００３６】
上記ＲＦ信号振幅検出部１２は、ＶＧＡ１１から出力されるＲＦ信号の振幅の大きさを検出し、検出結果を比較部１３に出力する。
【００３７】
上記比較部１３は、ＲＦ信号振幅検出部１２から出力された検出結果と、あらかじめ設定されたＲＦ信号の振幅の基準値とを比較する。そして、比較部１３は、比較結果に基づいて、ＶＧＡ１１に供給する制御電圧Ｖagcの大きさを決定する。
【００３８】
具体的には、ＲＦ信号の振幅が基準値と実質的に同じとみなすことができれば、ＶＧＡ１１がその時点で行っているゲイン調整を継続すればよい。従って、比較部１３は、その時点でＶＧＡ１１に供給されている電圧と同じ大きさに調整された制御電圧ＶagcをＶＧＡ１１に出力する。一方、ＲＦ信号の振幅が基準値よりも大きい又は小さい場合には、それぞれ、ゲインを下げる又は上げるように制御を行う。そのため、比較部１３は、ＲＦ信号の振幅が基準値となるように、その時点でＶＧＡ１１に供給されている電圧よりも小さく、又は、大きくなるように調整された制御電圧Ｖagcを出力する。
【００３９】
なお、上記基準値は、後段の信号処理部５で必要とされる入力レンジの範囲に基づいて、あらかじめ設定されているものである。基準値は、ある特定の値であってもよいが、上記入力レンジの範囲に対応させて、所定の範囲の値として設定してもよい。
【００４０】
また、図１に示す信号処理部５は、ＡＧＣ部１０から入力されたＲＦ信号に基づいて、該ＲＦ信号を再生するために必要な処理を行う。
【００４１】
上記再生領域判定部６は、ＲＦ信号の有無を検出することによって、記録済領域、未記録領域のいずれが再生されているかを判定し、判定結果をスイッチ７に出力する。そのため、上記再生領域判定部６は、入力側にて、コンデンサＣ２を介して、ピックアップ３のＲＦ信号生成部４に電気的にされ、出力側にて、スイッチ７に電気的にされている。
【００４２】
なお、本実施の形態では、コンデンサＣ２を介して、再生領域判定部６とＲＦ信号生成部４とが接続されているが、再生領域判定部６とＲＦ信号生成部４とがコンデンサＣ２を介さずに直接接続されていてもよい。つまり、再生領域判定部６の入力は、ＲＦ信号生成部４とコンデンサＣ２との間に接続されていてもよく、コンデンサＣ２とＡＧＣ部１０との間に接続されていてもよい。
【００４３】
上記したように、ＲＦ信号生成部４では、ディスク２の記録済領域からの戻り光であれば、ＲＦ信号は生成されるが、未記録領域からの戻り光であれば、ＲＦ信号は生成されない。そのため、上記再生領域判定部６で行われる判定は、該再生領域判定部６に入力されるＲＦ信号の有無によって行えばよい。
【００４４】
しかしながら、ディスク２上にはアドレス情報が記録されており、また、ディスク２表面のキズや汚れ、ブラックドット等による異常ノイズが生じることもある。そのため、再生領域判定部６にＲＦ信号が入力されたか否かで判定するのではなく、再生領域判定部６に入力された信号が記録済領域からのＲＦ信号であるか否かを判定することが好ましい。具体的には、例えば、ＲＦ信号の振幅のピーク値とボトム値との差を、あらかじめ設定された閾値と比較して、上記差が閾値を越えた場合には、記録済領域が再生されていると判定し、上記差が閾値以下である場合には、未記録領域が再生されていると判定すればよい。
【００４５】
このようにして得られた判定結果は、スイッチ７に出力される。すなわち、記録済領域が再生されていると判定された場合には、スイッチ７を開状態とするローレベルの信号（以下、Ｌ信号）を出力する。一方、未記録領域が再生されていると判定された場合には、スイッチ７を閉状態とするハイレベルの信号（以下、Ｈ信号）を出力する。上記Ｌ信号及びＨ信号は、スイッチ７の開閉を制御する制御信号となる。
【００４６】
上記スイッチ７は、上記再生領域判定部６で得られた判定結果の信号に基づいて、開閉動作を行う。具体的には、上記再生領域判定部６にて、記録済領域が再生されていると判定されて、Ｌ信号が出力された場合には、スイッチ７を開く。一方、上記再生領域判定部６にて、未記録領域が再生されていると判定されて、Ｈ信号が出力された場合には、スイッチ７を閉じるようになっている。スイッチ７が閉状態となることにより、上記ＡＧＣ部１０とシステムコントローラ２０とが電気的にされる。
【００４７】
上記システムコントローラ２０は、上記スイッチ７が閉状態である場合に、ＶＧＡ１１に所定の電圧を供給することにより、一定の値のゲインを保つようにＶＧＡ１１を制御する。上記システムコントローラ２０は、メモリ２２と、ＤＡ（デジタル／アナログ）コンバータ（ゲイン情報供給部）２１と、図示しない制御部とを備え、スイッチ７が閉じられると、上記ＤＡコンバータ２１の出力が、抵抗Ｒ２を介して、ＡＧＣ部１０のＶＧＡ１１に電気的にされた状態となる。
【００４８】
上記メモリ２２は、揮発性メモリ又は不揮発性メモリであり、ディスク２の未記録領域を再生する場合に設定されるゲインに関する情報（以下、ゲイン情報）を保持している。このゲイン情報は、ディスク再生装置１にてディスク２の記録済領域を再生した場合に、ＶＧＡ１１から信号処理部５に出力されるＲＦ信号に極端な過不足が生じることがないようにゲイン調整を行うことができるように、ＶＧＡ１１に設定されるゲインである。ＶＧＡ１１に設定されるゲインは、ＶＧＡ１１に入力される電圧の大きさによって決まるため、ＶＧＡ１１に供給される電圧（制御電圧Ｖagc）値を上記ゲイン情報とすればよい。
【００４９】
従って、上記ゲイン情報は、例えば、あるディスク再生装置で、ＶＧＡ１１に供給される電圧を変えながらディスク２を再生し、ＶＧＡ１１から出力されるＲＦ信号が最適な振幅を有するときの電圧値を基準設定値として用いるようにすればよい。
【００５０】
あるいは、ディスク再生装置１の生産工程等で、標準的な反射率を有する基準ディスクを使用して、該基準ディスクから得られるＲＦ信号のゲイン調整を最適に行い得る電圧値を、各ディスク再生装置１毎に決定するようにしてもよい。このように、ディスク再生装置１毎にゲイン情報を決定するようにすれば、ピックアップ３の感度や、ＶＧＡ１１でのゲイン調整能等の、各ディスク再生装置１に固有の機械特性や性能に応じて、ゲインを設定することができる。これにより、ディスク再生装置１毎に、最適なゲイン情報を設定することができる。
【００５１】
なお、上記メモリ２２は、システムコントローラ２０内に設けられているが、該システムコントローラ２０に外付けされていてもよい。
【００５２】
上記ＤＡコンバータ２１は、メモリ２２にデジタル信号として保持されているゲイン情報を、ＡＧＣ部１０で利用可能なアナログ信号に変換して、ＡＧＣ部１０に出力する。そのため、ＤＡコンバータ２１の入力側は、メモリ２２に接続され、出力側は、抵抗Ｒ２を介して、スイッチ７に電気的にされている。
【００５３】
上記制御部は、メモリ２２からのゲイン情報の読み出しや、ＤＡコンバータ２１からＡＧＣ部１０へのゲイン情報の出力等、システムコントローラ２０内の各部の動作を制御する。
【００５４】
上記構成のディスク再生装置１にて、ＡＧＣ部１０のゲインは次のように制御される。
【００５５】
すなわち、ピックアップ３は、ディスク再生装置１に装着されたディスク２に対して、光ビームを出射し、ディスク２からの戻り光を検出する。ピックアップ３に設けられたＲＦ信号生成部４では、上記戻り光からＲＦ信号を生成し、生成したＲＦ信号をＡＧＣ部１０及び再生領域判定部６に出力する。
【００５６】
ＲＦ信号生成部４で得られるＲＦ信号は、ＲＦ信号生成部４とＶＧＡ１１との間に設けたコンデンサＣ２及び抵抗Ｒ３によって、交流結合される。従って、上記ＡＧＣ部１０のＶＧＡ１１には、交流結合後のＲＦ信号が入力されることになる。
【００５７】
また、再生領域判定部６には、コンデンサＣ２を経由して、上記ＲＦ信号生成部４で得られたＲＦ信号が入力される。再生領域判定部６は、ＲＦ信号を検出して、記録済領域、未記録領域のいずれが再生されているかを判定し、記録済領域が再生されていると判定した場合には、スイッチ７にＬ信号を出力する。これに対し、再生領域判定部６が、未記録領域の再生が行われていると判定した場合には、スイッチ７にＨ信号を出力する。
【００５８】
上記再生領域判定部６からスイッチ７にＬ信号が出力されると、スイッチ７は開状態となり、ＡＧＣ部１０には、負帰還回路が形成される。すなわち、上記ＲＦ信号生成部４からＡＧＣ部１０に出力されたＲＦ信号がＶＧＡ１１に入力され、該ＶＧＡ１１からの出力が、ＲＦ信号振幅検出部１２、比較部１３、抵抗Ｒ１及びコンデンサＣ１を含む時定数部を経て、再びＶＧＡ１１に帰還するようになっている。
【００５９】
従って、上記再生領域判定部６からスイッチ７にＬ信号が出力されると、ＲＦ信号生成部４は、ＲＦ信号をＡＧＣ部１０のＶＧＡ１１に入力し、該ＶＧＡ１１は、入力されたＲＦ信号をＲＦ信号振幅検出部１２に入力する。ＲＦ信号振幅検出部１２は、入力されたＲＦ信号の振幅の大きさを検出し、検出結果を比較部１３に出力する。比較部１３は、上記検出結果であるＲＦ信号の振幅を、あらかじめ設定された基準値と比較する。これにより、上記比較部１３は、ＲＦ信号の振幅が、信号処理部５の入力レンジの範囲内であるか否かを判定する。
【００６０】
上記比較部１３にて、ＲＦ信号の振幅が基準値と実質的に同じと判断された場合には、上記比較部１３は、その時点でＶＧＡ１１に供給されている電圧と同じ大きさの制御電圧Ｖagcを出力する。これに対し、上記比較部１３にて、ＲＦ信号の振幅が基準値よりも大きい又は小さいと判定された場合には、上記比較部１３は、ＲＦ信号の振幅が上記基準値となるように、電圧の大きさが設定された制御電圧Ｖagcを出力する。
【００６１】
上記ＶＧＡ１１の制御端子にはコンデンサＣ１が接続されているので、上記のように、負帰還回路が形成された場合には、比較部１３から出力される制御電圧Ｖagcの変化に追従して、コンデンサＣ１の電圧が変化する。そのため、ＶＧＡ１１には、比較部１３から出力された大きさの制御電圧Ｖagcが入力される。従って、上記ＶＧＡ１１は、入力されたＲＦ信号の振幅を、信号処理部５で必要とされる入力レンジの範囲内の振幅に調整することができる。
【００６２】
このように、ディスク２の記録済領域が再生されている場合には、スイッチ７を開状態にして、ＡＧＣ部１０に負帰還回路を形成することにより、ＡＧＣ部１０から出力されるＲＦ信号の振幅を実質的に一定となるように制御している。
【００６３】
一方、上記再生領域判定部６からスイッチ７にＨ信号が出力されると、スイッチ７は閉状態となり、ＡＧＣ部１０とシステムコントローラ２０のＤＡコンバータ２１の出力とが電気的にされる。従って、上記したスイッチ７が開状態である場合に、ＡＧＣ部１０に形成された負帰還回路は、スイッチ７が閉状態である場合には開放された状態となる。それゆえ、スイッチ７が閉状態になると、上記ＤＡコンバータ２１は、メモリ２２に格納されたゲイン情報をアナログ信号に変換して出力する。
【００６４】
上記したように、ＶＧＡ１１の制御端子には、コンデンサＣ１が接続されているので、上記ＤＡコンバータ２１から出力されたゲイン情報に応じて、コンデンサＣ１の電圧が変化する。そのため、上記ＶＧＡ１１には、ＤＡコンバータ２１から出力されたゲイン情報が、ＶＧＡ１１の制御電圧Ｖagcとして印加されることになる。これにより、ＤＡコンバータから出力されたゲイン情報に基づく制御電圧Ｖagcによって、ＶＧＡ１１ではゲインが一定値に保たれることになる。
【００６５】
このように、上記ＶＧＡ１１は、上記ＲＦ信号生成部４にてＲＦ信号が生成されない場合には、上記比較部１３によって、ＶＧＡ１１に供給される制御電圧Ｖagcが決定されるのではなく、ＤＡコンバータから出力されたゲイン情報に基づいて、制御電圧Ｖagcが決定される。従って、ディスク２の未記録領域の再生に際して、ＶＧＡ１１で設定可能な最大のゲインに設定されるのではなく、ゲイン情報に基づく所定のゲインに設定することができる。
【００６６】
本実施の形態では、上記所定のゲインは、ゲイン情報に基づいて、ＶＧＡ１１から信号処理部５に出力されるＲＦ信号に極端な過不足が生じない値に設定されている。具体的には、記録済領域からのＲＦ信号の信号処理部５での再生処理に必要な入力レンジ範囲内の大きさの振幅となるように設定されている。それゆえ、未記録領域から記録済領域に移行した直後に行われる、信号処理部５に入力されたＲＦ信号のゲイン調整は、ＶＧＡ１１で設定可能な最大のゲインで行われるのではなく、信号処理部５の入力レンジ範囲内の振幅となるゲインで行われる。そのため、未記録領域と記録済領域とで、大幅にゲインが変化することはない。従って、未記録領域から記録済領域に移行した直後においても、記録済領域からのＲＦ信号に対して適正なゲインを設定することができるので、ＡＧＣ部１０から出力されるＲＦ信号が過大出力となることを防止して、適正な振幅のＲＦ信号を出力することができる。
【００６７】
〔実施の形態２〕
本発明の他の実施の形態について図２ないし図６に基づいて説明すれば、以下の通りである。なお、説明の便宜上、前記の実施の形態１の図面に示した部材と同一の機能を有する部材については、同一の符号を付し、その説明を省略する。図２に、本実施の形態のディスク再生装置を示す。
【００６８】
本実施の形態のディスク再生装置３５は、前記実施の形態１で説明したディスク再生装置１（図１）に備えられているシステムコントローラ２０に代えて、図２に示すシステムコントローラ３０を備えている。これにより、ディスク再生装置毎に、ディスク２の未記録領域を再生する場合のゲイン情報（以下、個体補正値（基準ゲイン）と記載することがある）を設定するとともに、再生するディスク２毎にも、上記ゲイン情報（以下、メディア補正値（ディスクゲイン）と記載することがある）を設定することができる。従って、本実施の形態のディスク再生装置３５では、ディスク再生装置３５毎に異なるピックアップ３の感度やＶＧＡ１１のゲイン調整能等のばらつき、ディスク２毎に異なるディスク２の種類や情報の記録状態等のばらつきを抑制して、ディスク２の未記録領域を再生する場合に、ＶＧＡ１１に供給される制御電圧Ｖagcを最適な値に設定することができる。
【００６９】
すなわち、上記システムコントローラ３０は、メモリ３２と、ＤＡコンバータ（ゲイン情報供給部）３１と、ＡＤ（アナログ／デジタル）コンバータ（ゲイン取得部）３３と、図示しない制御部とを備えている。
【００７０】
上記メモリ３２は、揮発性メモリ又は不揮発性メモリであり、ディスク２の未記録領域を再生する場合に設定されるゲイン情報を保持している。図２には、１つのメモリ３２を備えたシステムコントローラ３０を示しているが、ゲイン情報として個体補正値（基準ゲイン）を格納する揮発性メモリと、ゲイン情報としてメディア補正値（ディスクゲイン）を格納する不揮発性メモリとを備えるようにしてもよい。なお、上記メモリ３２は、システムコントローラ３０内に設けられているが、該システムコントローラ３０に外付けされていてもよい。
【００７１】
上記ＤＡコンバータ３１は、メモリ３２にデジタル信号として保持されているゲイン情報を、ＡＧＣ部１０で利用可能なアナログ信号に変換して、ＡＧＣ部１０に出力する。
【００７２】
上記ＡＤコンバータ３３は、前記実施の形態１で説明したように、ＡＧＣ部１０に負帰還回路が形成されている場合に、ＶＧＡ１１に供給されている制御電圧Ｖagcを取り込んで、メモリ３２に格納する。上記制御電圧Ｖagcは、アナログ信号として取り込まれるので、ＡＤコンバータ３３は、上記制御電圧Ｖagcをデジタル信号に変換する。そして、デジタル信号に変換された制御電圧Ｖagcを、ゲイン情報としてメモリ３２に保存する。
【００７３】
上記ＡＤコンバータ３３の入力側は、バッファ３４を介して、ＡＧＣ部１０に電気的にされている。また、ＡＤコンバータ３３の出力側は、メモリ３２に接続されている。なお、バッファ３４は、負帰還かけて使用する。
【００７４】
上記制御部は、メモリ３２からのゲイン情報の読み出し、ＤＡコンバータ３１からＡＧＣ部１０へのゲイン情報の出力、ＡＤコンバータ３３への制御電圧Ｖagcの取り込み、ＤＡコンバータ３１に設定されるゲイン情報の設定等、システムコントローラ３０内の各部の動作を制御する。
【００７５】
上記の構成のシステムコントローラ３０を備えているディスク再生装置３５では、あらかじめ、ディスク再生装置３５毎に固有のゲイン情報として、個体補正値を設定しておく。そして、再生する各ディスク２の記録済領域から得られるＲＦ信号に基づくゲイン情報として、メディア補正値を設定する。
【００７６】
上記個体補正値の設定は、例えば、ディスク再生装置３５の生産工程等で、標準的な反射率の基準ディスクを用い、該基準ディスクの記録済領域のＲＦ信号を読み出すことによって行えばよい。図３に、個体補正値の設定のフローチャートを示す。
【００７７】
図３に示すＳ１では、まず、ディスク再生装置３５の生産工程等で、記録済領域を有する基準ディスクの再生を行う。記録済領域を再生すると、前記実施の形態１で説明したように、再生領域判定部６がＲＦ信号を検出して、スイッチ７にＬ信号を出力する。これにより、スイッチ７は開状態となるので、ＡＧＣ部１０には、負帰還回路が形成される。図２に示すように、コンデンサＣ１の一端はＶＧＡ１１に電気的にされ、他端は接地されているので、コンデンサＣ１の両端には、ＶＧＡ１１でのゲイン調整のために供給されている制御電圧Ｖagcが表れることになる。
【００７８】
従って、図２に示すように、コンデンサＣ１の一端に、バッファ３４を介してＡＤコンバータ３３を電気的にすることにより、図３に示すＳ２にて、ＡＤコンバータ３３は、上記制御電圧Ｖagcを取り込むことができる。続いて、Ｓ３では、取り込まれた制御電圧Ｖagcを、メモリ３２に個体補正値として保存する。この個体補正値は、ディスク再生装置３５の電源投入の直後、ディスク２の交換の直後、記録領域のない情報記録が可能な未記録ディスクの書き込みテスト動作時、等に、前記実施の形態１で説明したように、ディスク２の未記録領域を再生する場合のＶＧＡ１１の制御電圧Ｖagcとして用いればよい。
【００７９】
また、上記メディア補正値の設定は、ディスク再生装置３５に装着されたディスク２が記録済領域を有している場合に行えばよい。メディア補正値の設定のフローチャートを図４に示す。
【００８０】
ディスク再生装置３５に電源が投入され、ディスク２が装着されると、図４に示すＳ１１にて、ディスク再生装置３５のドライブの初期化処理を開始する。すなわち、Ｓ１２にて、システムコントローラ３０のＤＡコンバータ３１が、メモリ３２に格納された、ディスク再生装置３５の生産工程等であらかじめ設定した個体補正値を読み出す。続いて、ＤＡコンバータ３１は、メモリ３２から読み出したデジタル信号の個体補正値をアナログ信号に変換する。これにより、Ｓ１３にて、上記ＤＡコンバータ３１には、アナログ信号に変換された個体補正値が設定される。
【００８１】
次いで、Ｓ１４では、ディスク再生装置３５にて、書き込み動作又は再生動作が行われるかを判定する。Ｓ１４にて、書き込み動作を行うことが要求された場合には、Ｓ１５に進んで記録動作を行って、Ｓ２０に進む。
【００８２】
一方、Ｓ１４にて、再生動作を行うことが要求された場合には、Ｓ１６に進み、トラックサーチを行う。続いて、Ｓ１７では、再生領域判定部６が、記録済領域のＲＦ信号が検出されたか否かを判定する。Ｓ１７にてＲＦ信号が検出されない場合には、Ｓ１６に戻り、Ｓ１７の動作を繰り返す。
【００８３】
これに対し、Ｓ１７にて、ＲＦ信号が検出されると、Ｓ１８にて、メディア補正値を設定するために、ＡＤコンバータ３３が、ＲＦ信号が検出された時点での制御電圧Ｖagcを取り込む。取り込まれた制御電圧Ｖagcは、ＡＤコンバータ３３にてデジタル信号に変換され、メディア補正値としてメモリ２２に保存される。そして、Ｓ１９にて、ＤＡコンバータ２１が、このメモリ補正値を読み出して、アナログ信号に変換し、アナログ信号のメモリ補正値をＤＡコンバータ２１に設定する。その後、Ｓ２０に進み、ディスク２が交換されるまでは、Ｓ１４以降の動作を繰り返し、ディスク２が交換されると、再び、Ｓ１１以降の動作を繰り返す。
【００８４】
このように、ディスク再生装置３５に装着されたディスク２毎に、記録済領域からのＲＦ信号についてゲイン調整を行うときに、ＶＧＡ１１に供給されている制御電圧Ｖagcを、上記個体補正値を取得する場合と同様の手順で、ＡＤコンバータ３３で読み取ればよい。そして、このときの制御電圧Ｖagcをメディア補正値としてメモリ３２に格納して、未記録領域を再生する場合にＶＧＡ１１に供給される制御電圧Ｖagcとして用いればよい。このメディア補正値は、ディスク再生装置３５に装着されるディスク２が交換されるまで使用され、新しいディスク２が装着されると、新しいディスク２のメディア補正値に書き換えられる。
【００８５】
上記のように、図２に示すディスク再生装置３５では、ＡＧＣ部１０のゲイン調整は、上記の手順で設定された個体補正値及びメディア補正値が、ディスク２の未記録領域を再生する場合にＶＧＡ１１に供給されることを除いて、前記実施の形態１と同様の手順で行われる。すなわち、再生領域判定部６によって、記録済領域からのＲＦ信号の有無が検出され、スイッチ７が開閉される。これにより、記録済領域を再生する場合には、比較部１３によって、ＶＧＡ１１に供給される制御電圧Ｖagcが設定される。一方、未記録領域を再生する場合には、個体補正値又はメディア補正値が制御電圧Ｖagcとして設定される。
【００８６】
上記ＤＡコンバータ３１に、個体補正値、メディア補正値のいずれを設定するかは、システムコントローラ３０内の図示しない制御部で制御すればよい。例えば、ディスク再生装置３５に電源が投入された直後等の初期化時や、ディスク交換直後に未記録領域を再生する場合等には、個体補正値を読み出して、ＤＡコンバータ３１に個体補正値を設定する。一方、ディスク再生装置３５に装着されたディスク２に記録済領域が存在する場合や、書き込みテスト等によって記録品質の確認をした場合には、メディア補正値を設定することができる。従って、メディア補正値を設定した後には、ディスク２を交換するまで、メディア補正値をＤＡコンバータ３１に設定すればよい。
【００８７】
なお、本実施の形態では、個体補正値、メディア補正値の双方を用いているが、個体補正値のみを用いてもよい。あるいは、個体補正値に代えて、前記実施の形態１で説明したように、基準設定値として定められているゲイン情報を用い、このゲイン情報と上記メディア補正値とを併用するようにしてもよい。
【００８８】
また、本実施の形態のディスク再生装置３５は、ディスク２への記録及び再生の双方を行う場合を例に挙げて説明したが、再生のみを行うものであってもよい。
【００８９】
上記ディスク再生装置３５を用いて、ディスクの未記録領域から記録済領域へ移行した直後のＲＦ信号の出力波形を観察した結果を図５に示し、従来のディスク再生装置（図７）を用いて、ディスクの未記録領域から記録済領域へ移行した直後のＲＦ信号の出力波形ＲＦ信号の出力波形を観察した結果を図６に示す。図５及び図６のグラフ中、上側に示す波形は、ＲＦ信号の出力波形であり、下側に示す波形は、再生領域判定部６から出力される、記録済領域からのＲＦ信号の有無を表す制御信号（Ｈ信号，Ｌ信号）を示す。
【００９０】
上記制御信号がＨレベルである場合には、ＲＦ信号は検出されない未記録領域が再生されており、制御信号がＬレベルである場合には、ＲＦ信号が検出される記録済領域が再生されている。なお、未記録領域から記録済領域に移行した直後に、ＲＦ信号の出力波形が上側にはねる現象は、ピックアップ３とＡＧＣ部１０との間に設けられた時定数をなすコンデンサＣ２及び抵抗Ｒ３による過渡現象として現れるものである。従って、過大出力の有無は、はね上がるＲＦ信号の振幅幅で評価する。
【００９１】
従って、図５に示すように、本実施の形態のディスク再生装置３５を用いた場合、未記録領域から記録済領域に移行した直後のＲＦ信号の振幅と、記録済領域に移行してからしばらくした後のＲＦ信号の振幅とは、ほぼ同じ振幅幅となっている。一方、従来のディスク再生装置（図７）では、未記録領域から記録済領域に移行した直後のＲＦ信号の振幅幅は大きいが、その後、徐々に振幅幅が小さくなる。このことから、本実施の形態のディスク再生装置３５を用いることにより、未記録領域から記録済領域に移行した直後に、従来では生じていたＲＦ信号の過大出力（図６）が見られなくなることがわかる。従って、上記ディスク再生装置３５を用いれば、未記録領域から記録済領域に移行した直後から、信号処理部５に適正な振幅のＲＦ信号を供給することができることがわかる。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９３】
本発明のディスク再生装置は、ディスクに記録された情報の再生を光照射によって行う、ＣＤプレイヤー、ＤＶＤプレイヤー等の光ディスク装置に適用することができる。これにより、未記録領域から記録済領域へ移行した直後に検出されるＲＦ信号を適正な振幅で出力することができるディスク再生装置を提供することができる。
【図面の簡単な説明】
【００９４】
【図１】本発明におけるディスク再生装置の実施の一形態を示すブロック図である。
【図２】本発明におけるディスク再生装置の他の実施の形態を示すブロック図である。
【図３】上記ディスク再生装置で行われる個体補正値の設定を説明するフローチャートである。
【図４】上記ディスク再生装置で行われるメディア補正値の設定を説明するフローチャートである。
【図５】上記ディスク再生装置で再生されるＲＦ信号の出力波形を示すグラフである。
【図６】従来のディスク再生装置で再生されるＲＦ信号の出力波形を示すグラフである。
【図７】従来のディスク再生装置を示すブロック図である。
【符号の説明】
【００９５】
１    ディスク再生装置
２    ディスク
３    ピックアップ
４    ＲＦ信号生成部
５    信号処理部
６    再生領域判定部
７    スイッチ（切換部）
１０    ＡＧＣ部（信号振幅制御部）
１１    ＶＧＡ
１２    ＲＦ信号振幅検出部
１３    比較部
２０    システムコントローラ
２１    ＤＡコンバータ（ゲイン情報供給部）
２２    メモリ
３０    システムコントローラ
３１    ＤＡコンバータ（ゲイン情報供給部）
３２    メモリ
３３    ＡＤコンバータ（ゲイン取得部）
３５    ディスク再生装置
Ｃ１  コンデンサ（時定数）
Ｒ１  抵抗（時定数）
【図１】
2005339726.tif 000003
【図２】
2005339726.tif 000004
【図３】
2005339726.tif 000005
【図４】
2005339726.tif 000006
【図５】
2005339726.tif 000007
【図６】
2005339726.tif 000008
【図７】
2005339726.tif 000009